(57)【要約】【課題】電磁バルブブロックの固定装置において、連数端の電磁バルブブロックや１個の電磁バルブブロックであっても、電磁バルブブロックを確実にマニホールドブロックに固定させることを課題とする。【解決手段】マニホールドブロック１６の上面に電磁バルブブロック１０が載置され、電磁バルブブロック１０の上面でビス併存凹部１３に隣接した位置に座面１５が形成されている。座面１５に座金掛止溝２０が形成され、ビス１１に装着され内側に傾斜した座金２４の内側の掛止部２５が座金掛止溝２０の側壁に掛止される。こうしてビス１１によって電磁バルブブロック１０がマニホールドブロック１６に固定されている。【選択図】        図１
2005054832.tif 000002
【特許請求の範囲】
【請求項１】
マニホールドブロックの上面に電磁バルブブロックが載置され、電磁バルブブロックの側部接合面の上端から下端にわたって、ビスを併存させるためのビス併存凹部が形成され、電磁バルブブロックの上面でビス併存凹部に隣接した位置に座面が形成され、ビスによって電磁バルブブロックがマニホールドブロックに固定されるパイロット式電磁弁において、
前記座面に座金掛止溝が形成され、ビスに装着され内側に傾斜した座金の内側の掛止部が座金掛止溝の側壁に掛止されることを特徴とするパイロット式電磁弁。
【請求項２】
座金掛止溝が座面の外周部に形成され、座金の掛止部が座金掛止溝のビス側傾斜部に掛止される請求項１のパイロット式電磁弁。
【請求項３】
内側に傾斜させた座金の半径方向外方半部を半径方向内方半部よりも内側に深く傾斜させ、半径方向外方半部の内面を掛止部とした請求項１又は２のパイロット式電磁弁。
【請求項４】
座金を碗状に湾曲した形状となし、碗状の湾曲部分の内側を掛止部とした請求項１又は２のパイロット式電磁弁。
【請求項５】
座金掛止溝の形状を、上面視で円弧状とし断面をＵ字形又はＶ字形とした請求項１ないし３のいずれか一つのパイロット式電磁弁。
【発明の詳細な説明】
【０００１】
【発明の属する技術分野】
本発明は、バルブマニホールドのマニホールドブロックの上に電磁バルブブロックを固定するパイロット式電磁弁に関する。
【０００２】
【従来の技術】
【特許文献１，２】
特開２００２−２５０４６３号公報（特許文献１）には、１個のマニホールドブロック（マニホールドベース）の上に多数個の電磁バルブブロックが隣接し接合して載置され、ビス（ねじ）によって電磁バルブブロックがマニホールドブロックに固定される電磁バルブブロックのパイロット式電磁弁が記載されている。
また、特開２０００−２８３３２４号公報（特許文献２）には、電磁バルブブロックとマニホールドブロックとを組み合わせたものが必要数だけ隣接し接合して配設されている。そして、電磁バルブブロックの側部接合面の上端から下端にわたって、ビスを併存させるためのビス併存凹部が形成され、電磁バルブブロックはマニホールドブロック上に載置され、電磁バルブブロックはビスによりマニホールドブロックに固定されている。
【０００３】
図３は、特許文献１及び２に開示された、従来のバルブマニホールドの電磁バルブブロック１０を示す。バルブマニホールドにおいては、電磁バルブブロック１０の取付ピッチを小さくするため、隣接する２個の電磁バルブブロック１０を１本のビス１１で共締めしている。共締めのために、電磁バルブブロック１０の側部接合面１２の上端から下端にわたって、ビス１１を併存させるため、横断面が略円弧状のビス併存凹部１３が形成され、また電磁バルブブロック１０の上面１４でビス併存凹部１３に隣接した位置に座面１５が形成されている。座面１５はビス１１の頭部の裏面が電磁バルブブロック１０の上面１４を押しつける箇所である。図３（ａ）  に示すように、複数個の電磁バルブブロック１０が隣接して配置されたときは、隣接した側部接合面１２の２つのビス併存凹部１３がビス１１Ａの挿通穴１７となる。この挿通穴１７にビス１１Ａを挿通させ、ビス１１Ａの先端をマニホールドブロック１６のボルト孔（不図示）に螺合させると、ビス１１Ａの頭部裏面の当接面１８（図３（ｄ）  参照）が電磁バルブブロック１０の座面１５を押し付け、電磁バルブブロック１０がマニホールドブロック１６に固定される。なお、電磁バルブブロック１０の内部には、図３（ａ），（ｂ）  の右から順に主弁（切換弁）、手動操作装置、パイロット弁が配設されている。
【０００４】
この共締めによれば、上面１４の座面１５が図３（ａ），（ｂ）  に示すように略中空半円形の形状であるので、電磁バルブブロック１０が隣接し接触した箇所の挿通穴１７にビス１１を適用するときには、ビス１１の当接面１８が上面１４の座面１５を確実に押しつける。しかし、電磁バルブブロック１０を１台のみビス１１により固定するとき、及びバルブマニホールドの連数端の電磁バルブブロック１０をビス１１で固定するときは、図３（ｃ）  に示すように、右側方向への大きな外力が作用すると、ビス１１が電磁バルブブロック１０の存在しない右方向に傾斜し、ビス１１が外れる恐れがあった。
【０００５】
【発明が解決しようとする課題】
本発明は、パイロット式電磁弁において、連数端の電磁バルブブロックや１個の電磁バルブブロックであっても、電磁バルブブロックを確実にマニホールドブロックに固定させることを課題とする。
【０００６】
【課題を解決するための手段】
本発明は、前記課題を達成するために、マニホールドブロックの上面に電磁バルブブロックが載置され、電磁バルブブロックの側部接合面の上端から下端にわたって、ビスを併存させるためのビス併存凹部が形成され、電磁バルブブロックの上面でビス併存凹部に隣接した位置に座面が形成され、ビスによって電磁バルブブロックがマニホールドブロックに固定されるパイロット式電磁弁において、前記座面に座金掛止溝が形成され、ビスに装着され内側に傾斜した座金の内側の掛止部が座金掛止溝の側壁に掛止されることを第１構成とする。
本発明は、第１構成において、座金掛止溝が座面の外周部に形成され、座金の掛止部が座金掛止溝のビス側傾斜部に掛止されることを第２構成とする。
本発明は、第１及び第２構成において、内側に傾斜させた座金の半径方向外方半部を半径方向内方半部よりも内側に深く傾斜させ、半径方向外方半部の内面を掛止部としたことを第３構成とする。
本発明は、第１及び第２構成において、座金を碗状に湾曲した形状となし、碗状の湾曲部分の内側を掛止部としたことを第４構成とする。
本発明は、第１〜第３構成において、座金掛止溝の形状を、上面視で円弧状とし断面をＵ字形又はＶ字形としたことを第５構成とする。
【０００７】
【発明の実施の形態】
図１及び図２は、本発明のパイロット式電磁弁の実施の形態を示す。図１及び図２の説明において、図３と同一の部分については図３と同一の符号を付し、その部分の説明は簡略にする。
本発明の実施の形態の特徴は、座面１５に座金掛止溝２０が形成され、ビス１１に装着され内側に傾斜した座金２４の内側の掛止部２５が座金掛止溝２０の側壁に掛止されることである。なお、座金２４は、円板の中心に挿通孔をあけたリングを、略傘状などの形に成形したもので、略傘状などの下側を内側とする。
【０００８】
図１（ｄ）  と図３（ｂ）  との比較から分かるように、座金掛止溝２０は従来技術の座面１５の外周部（座面１５の外周に接触し又は離隔した位置）に形成され、座金掛止溝２０の断面形状はＵ字形、Ｖ字形、又はそれらに近似した形状をしている。座金掛止溝２０の上面視の形状は、好適には所定の幅を有する円弧状である。図１（ｃ）  に示された座金掛止溝２０の断面形状は、開口部が幅広で座金掛止溝２０の右側の傾斜部がビス側傾斜部２１であり、ビス側傾斜部２１に座金２４の掛止部２５が係止される。なお、ビス側傾斜部２１を垂直にすることができる。そして、図１（ｃ）  において、ビス側傾斜部２１に作用する右下方向の引っ掛け力は座面１５の下方の肉厚部分で支持される。
【０００９】
座金２４は、図１（ｂ）  に示すように、内側に傾斜させた座金２４の半径方向外方半部（挿通孔２６を除く）  を半径方向内方半部よりも内側に深く傾斜させたものであり、この外方半部の内面の外周部近傍が引っ掛け形状の掛止部２５となっている。
座金２４の挿通孔２６にビス１１のねじ部２８が挿通され、使用時には挿通孔２６はビス頭部３０とねじ部２８との間の軸部２９の箇所に位置している。電磁バルブブロック１０の固定作業の効率を高めるため、座金２４の挿通孔２６は、座金２４にビス１１を挿通したとき、座金２４が重力によっては移動しない大きさとするのが好ましい。なお、座金２４を略碗状に湾曲した形状となし、略碗状の湾曲部分の内側を掛止部２５とすることができる。
【００１０】
本発明の実施の形態の使い方について説明する。ビス１１が挿通された座金２４の掛止部２５を、電磁バルブブロック１０の座金掛止溝２０のビス側傾斜部２１に引っ掛け、ビス１１をマニホールドブロックのボルト孔に螺合する。ビス１１の締めつけによって座金２４が変形し、座金２４が元の形に戻ろうとして生ずる弾発力が、座金掛止溝２０のビス側傾斜部２１に向かって作用し、この弾発力によって座金２４の緩み止め効果を奏し、電磁バルブブロック１０がマニホールドブロックに確実に固定される。座金２４の掛止部２５が座金掛止溝２０のビス側傾斜部２１に引っ掛けられ、しかも弾発力がビス側傾斜部２１に作用しているので、外力によって座金２４を外すことは極めて困難である。
【００１１】
図２（ａ）  は、３個の電磁バルブブロック１０Ａ〜１０Ｃを隣接し接合してマニホールドブロックに固定した小ピッチタイプの例を示す。内側の２本のビス１１Ａは共締めとなり、外側の２本のビス１１Ｂは座金２４の片側の掛止部２５が電磁バルブブロック１０Ａ又は１０Ｃの座金掛止溝２０のビス側傾斜部２１に掛止され、確実に固定している。
図２（ｂ）  は、３個の電磁バルブブロック１０Ｄ〜１０Ｆが所定の間隔をおいて、幅広ピッチのマニホールドブロックに配置され、個々の電磁バルブブロック１０Ｄ〜１０Ｆを単品締めする幅広ピッチタイプの例を示す。各電磁バルブブロック１０Ｄ〜１０Ｆがそれぞれ１個のビス１１、座金２４により固定されている。
【００１２】
図２（ｂ）  の幅広ピッチのマニホールドブロックは、電磁バルブブロック１０のエアシリンダへの出口ポートに接続する継手の外径が、電磁バルブブロック１０の幅よりも大きい場合に適用する。図２（ｂ）  の単品締めにおいては、メンテナンス時に一つの電磁バルブブロック１０を交換する際、交換する電磁バルブブロック１０のビス１１のみを外せば、電磁バルブブロック１０の交換が可能であり、図２（ａ）  の共締めに比べメンテナンス性のメリットがある。
【００１３】
【発明の効果】
本発明のパイロット式電磁弁は、電磁バルブブロックの上面の座面に座金掛止溝が形成され、ビスに装着され内側に傾斜した座金の内側の掛止部が座金掛止溝の側壁に掛止されている。そして、ビスの締めつけにより座金が変形して緩み止めの弾発力が発生し、座金が座金掛止溝から外れることを困難にしている。従って、連数端の電磁バルブブロックや１個の電磁バルブブロックであっても、電磁バルブブロックが確実にマニホールドブロックに固定される。
【図面の簡単な説明】
【図１】図１（ａ）  は本発明のパイロット式電磁弁の実施の形態を示す側断面図であり、図１（ｂ）  は図１（ａ）  の要部拡大図であり、図１（ｃ）  は図１（ｂ）  一部のみを取り出した図であり、図１（ｄ）  は図１（ｃ）  の上面拡大図である。
【図２】図２（ａ）  は電磁バルブブロックを共締めした場合の断面図であり、図２（ｂ）  は電磁バルブブロックを単品締めした場合の断面図である。
【図３】従来のパイロット式電磁弁を示し、図３（ａ）  は２個の電磁バルブブロックを隣接接合した場合の上面図であり、図３（ｂ）  は１個の電磁バルブブロックの上面図であり、図３（ｃ）  は図３（ｂ）  のＣ−Ｃ断面図であり、図３（ｄ）  はビスの当接面を示す図である。
【符号の説明】
１０  電磁バルブブロック
１１  ビス
１３  ビス併存凹部
１６  マニホールドブロック
２０  座金掛止溝
２４  座金
２５  掛止部
【図１】
2005054832.tif 000003
【図２】
2005054832.tif 000004
【図３】
2005054832.tif 000005